(57)【要約】【課題】  電動工具を安定的に保持し、電動工具の落下を防止すると共に、親指操作により迅速に工具の取り出しができる工具ホルダーを提供すること。【解決手段】  ストッパーを設けた基台部と、この基台部の上方に設けられベルトに装着されるベルト装着部と、前記基台部の下方に設けられ電動工具を保持する工具保持部とから成り、基台部には、電動工具が前記工具保持部から逸脱するのを阻止するために、ロック状態でその先端を前記電動工具の上方に近接位置させ、この状態を維持する傾動自在なストッパーを設けたもの。【選択図】図１
2015062988.tif 000002
【特許請求の範囲】
【請求項１】
ベルトに装着されて使用される電動工具ホルダーであって、この電動工具ホルダーは、基板部と、この基板部の上方に設けられベルトに装着されるベルト装着部と、前記基板部の下方に設けられ電動工具を保持する工具保持部とから成り、前記基板部には、電動工具が前記工具保持部から上方に逸脱するのを阻止するために、その先端を前記電動工具の上方に近接位置させ、所定角度より上方への回転が阻止されたストッパーをバネ部材によって傾動自在に設けた電動工具ホルダー。
【請求項２】
傾動自在なストッパーは、収納された電動工具の上方までバネ力によって傾動してロック状態を維持し、バネ力に抗する指操作により基台方向に動かすことによってロック状態を解除するように操作されるものである請求項１記載の電動工具ホルダー。
【請求項３】
ストッパーの下端先端と一対の工具保持部の先端間のギャップを収納された電動工具の握り部の最小直径よりも小さくした請求項１又は請求項２記載の電動工具ホルダー。
【請求項４】
電動工具ホルダーの工具保持部は、電動工具の握り部の前後二点を支持する二点支持構成であり、これらの両工具保持部の底部にはそれぞれスイッチの逃げ部が形成されているものである請求項１乃至請求項３記載の電動工具ホルダー。
【請求項５】
工具保持部を有する基板部の上方に設けた筒状部にベルト装着部を構成する針金を貫通させ、このベルト装着部を基板部に回転自在に取り付けたものである前記請求項１乃至請求項４記載の電動工具ホルダー。
【請求項６】
基板部の両側に設けた筒状部に工具保持部を構成する一対の針金を、それぞれ回転自在に挿入し、一方の工具保持部を他方の工具保持部に重なるように折り畳み可能に構成した前記請求項１乃至請求項５記載の電動工具ホルダー。
【請求項７】
基板部の両側に設けた筒状部に挿入する工具保持部を形成する針金の上端を横方向に折り曲げてストッパーを形成し、一対の工具保持部が開く方向に回転しようとした場合これらのストッパーが前記基板部の裏面に当接し、その回転を阻止するように構成した前記請求項１乃至請求項６記載の工具ホルダー。
【請求項８】
基板部に設けた筒状部の一部に切欠き部を設け、前記基板部の裏面に固定した板バネの端部をこの切欠き部に挿入し、前記筒状部に挿入した針金の面取り部に強く当接し、針金の回転動作に節度を与えた前記請求項１乃至請求項７記載の電動工具ホルダー。
【発明の詳細な説明】
【技術分野】
【０００１】  本発明は電動工具ホルダーに関し、特に、充電式電動ドライバーやインパクトレンチなどの電動工具を腰のベルトに装着して使用するのに好適な電動工具ホルダーに関するものである。
【背景技術】
【０００２】  電動工具を作業中に持ち運ぶものとして古くから工具袋が用いられてきた。
しかし、作業者が足場上を移動するときに、腰に吊り下げた工具袋がふらつき、架設パイプやその他の構造物に不用意に引掛り、作業者自身が転落したり、高価な電動工具を落下させて破損してしまうなどの事故を誘発していたものである。【０００３】  収納袋のふらつきに起因する課題を解決するために、次の特許文献に掲げた電動工具ホルダーが提案されている。
【先行技術文献】
【特許文献】
【０００４】
【特許文献１】  実開平６−３１９７８号公報
【特許文献２】  特開２００４−２０２６７０号公報
【発明の概要】
【発明が解決しようとする課題】
【０００５】  前述のように、工具袋を用いた場合は、工具袋が架設のパイプやパイプを結合するボルト・ナットに引っ掛かり、作業者自身や工具が落下するという重大事故を生じていたものである。
これを防止するために、ふらつきのない工具ホルダーの提供が望まれていた。
又、建築現場等では、両手を用いる作業が頻繁に行われるので、その都度、電動工具を収納したり、取り出したりしなければならず、迅速な収納、取出しが要求されている。
収納、取り出しが面倒だと作業時間の大幅な遅れと工事価格の高騰に繋がるので避けなければならない。【０００６】  一方、前記課題に対処したホルダーとして上記特許文献１及び特許文献２に記載の発明が提案されている。
特許文献１には、電動工具２の後方端部にホルダー１０を自在バンド２０によって取付け、ホルダー１０をベルト１に着脱自在に装着するようになされた電動工具用ホルダーの考案が記載されている。
しかし、この考案は、電動工具のモータ部の後端一箇所を、自在バンドとホルダーで保持するものであるため、安定的に電動工具を保持できないものとなっている。【０００７】  すなわち、一般的な電動工具は、その駆動源として重い電池を使うものが多く、この電池が握り部の下端に設けられた全体Ｔ字型となっているため（公報の図４参照）、電動工具全体の重心が電池を含む握り部に極端に偏っており、電動機後端に装着された自在バンド２０の一箇所で保持することは非常に不安定なものとなっている。
ベルトも布や皮などの可撓性の素材で制作されているので、ベルトに重い電動工具を釣下するとベルトが捻れてしまい、正しい位置に保持することができないことから、結果的に電動工具の装着と取り出しが困難になることは容易に理解できよう。【０００８】  工具を安定的に保持できないと、前述の落下事故は免れないものであり、この特許文献１記載の考案では前述の課題を解決することができない。
又、この考案では、電動工具をベルトから外したときに、電動工具に自在バンドとホルダーが一体的に固定されているので、実際の作業の邪魔になるという課題も内在している。【０００９】  そこで、本発明者は、特許文献１記載発明の課題を解決するために、特許文献２記載の発明を提案している。
特許文献２に記載した発明は、特許文献１が、電動工具のモータ部の後端の一箇所で支持していること、すなわち、片持支持構成に起因していることを突き止め、これを解決する方法として、保持部２４と２５前後二箇所で水平的、且つ、安定的に電動工具を保持する構成としたものである。【００１０】  すなわち、特許文献２の発明では、両持ち支持でふらつきを無くすると同時に、電動工具の迅速な収納と取り出しを可能にするために、開閉自在にしたホルダー本体に、両持ちとなる一対のストッパー３２、３２を設けたものである。【００１１】  特許文献２記載の発明品を実際に使用してみると、ふらつきは無くなったものの、開閉自在の保持カバー３が外側に突出しているので、保持カバーがパイプやボルト・ナットに引っ掛かる現象は依然として発生した。保持カバーにはトーションバネで閉じる方向にバネ力を付与させているのみなので、このバネ力に抗して保持カバーの開く方向に大きな外力が加わると、保持カバーが開いてしまい、電動工具が落下する事故を発生することが確認された。
すなわち、ふらつき現象は解消されたものの、電動工具の落下防止については未だ充全とはいえないものであった。【００１２】  これは、特許文献２記載の発明が、前述のように、保持カバーが開くのを完全に阻止できない構成となっていることに起因している。
又、保持カバーの開閉操作は手の甲で行っていたので、手の甲で保持カバーを開き、この状態で親指を除く四本の指で電動工具を握るという動作を同時に行わなければならないので操作が面倒であるという課題も有している。【００１３】  又、特許文献２で電動工具を工具ホルダーに装着した状態で座った場合、電動工具ホルダーが床や椅子の座部に当たってしまい、普通に座ることができない。従って、座る場合は工具ホルダーを腰のベルトから外さなければならず面倒であった。
特許文献１でも工具ホルダーに電動工具を装着した場合、電動工具の先端が下向きになっているため（公報の図４参照）、座った場合、ドライバーなどの先端が床に当たって刃先を折損したり、普通に座ることができないものである。【００１４】  本発明はこれらの課題に着目し、電動工具を安定的に保持でき、収納と取り出しを親指操作によって迅速に行うことができ、電動工具を上方から押えているストッパーが外部構造物に当らないようにして電動工具の落下を確実に防止する電動工具ホルダーを提供することを主たる目的とするものである。【００１５】  又、本発明の第２の目的は、電動工具を取り出した状態で工具ホルダーを折り畳み可能とし、工具ホルダーをベルトに装着した状態でも普通に座ることができる電動工具ホルダーを提供することである。
更に又、本発明の第３の発明は、一対の工具保持部を左右内側に折り畳み、次いで上方に折り畳み、全体の寸法を可及的に小寸法として、作業服のポケットなどに入れて持ち運ぶことができる電動工具ホルダーを提供するものである。
【課題を解決するための手段】
【００１６】  前記主たる目的を達成する第１の発明は、ベルトに装着されて使用される電動工具ホルダーであって、この電動工具ホルダーは、基板部と、この基板部の上方に設けられベルトに装着されるベルト装着部と、前記基板部の下方に設けられ電動工具を両持ちで保持する一対の工具保持部とから成り、前記基板部には、その下方先端を収納された前記電動工具の握り部の上方に近接位置させ、所定角度以上に上方への回転を阻止するストッパーをバネ機構によって傾動自在に設け、前記工具保持部で保持された電動工具が前記工具保持部から上方に逸脱するのを阻止したものである電動工具ホルダーにある。【００１７】  第２の目的を達成する第２発明は、ベルトに装着されて使用される電動工具ホルダーであって、この電動工具ホルダーは、基板部と、この基板部の上方に設けられベルトに装着されるベルト装着部と、前記基板部の下方に設けられ電動工具を保持する工具保持部とから成り、前記基板部にベルト装着部を上方に回転可能なヒンジ部で接続したものである電動工具ホルダーにある。
第３の目的を達成する第３の発明は、一対の工具保持部を左右内側に折り畳み、次いで上方に折り畳むことによって達成される。
【発明の効果】
【００１８】  第１の発明によれば、電動工具を安定的に保持でき、収納と取り出しを親指操作によって迅速に行うことができ、電動工具を押えているストッパーが外部構造物に当って不用意に開くことがなく、電動工具の落下を確実に防止する電動工具ホルダーを提供することができるものである。【００１９】  第２の発明によれば、基台部と一体化されているホルダー部を上方に折り畳むことができるので、工具ホルダーをベルトに装着したままでも普通に座ることができ、作業時間の大幅な短縮を図ることができる効果を有するものである。【００２０】  第３の発明によれば、一対の工具保持部を左右から折り畳み、その後ベルト装着部を基板部に重ねるように折り曲げれば全体の寸法を半分程度に小さくすることができ、収納や運搬が容易になる効果を有するものである。
尚、本発明の技術的範囲は、後述する一実施例構成に限定されるものではなく、特許請求の範囲内において種々の応用例、変形例が考えられ、これらをも包含することを付言しておく。
【図面の簡単な説明】
【００２１】
【図１】本発明の一実施例構成を示す正面図。
【図２】本発明の一実施例構成を示す側面図。
【図３】工具保持部を構成する太めの針金の正面図。
【図４】ストッパーベースの正面図。
【図５】同じくストッパーベースの側面図。
【図６】ストッパーの裏面図。
【図７】同じくストッパーの側面図。
【図８】ピンの平面図。
【図９】トーションばねの正面図と側面図。
【図１０】基板部の裏面図。
【図１１】板バネの平面図。
【発明を実施するための形態】
【００２２】  以下、本発明の一実施例を図に基づいて説明する。
先ず、図１、図２に基づき本発明の電動工具ホルダーの全体構成について説明する。
両図において、１は、１．２ミリメートル程度の厚さの鉄板をプレス加工して構成した基板であり、後述するストッパーやそのベースなどを担持する基板である。
この基板１の上端縁部には、カーリング加工して第１の筒状部１−１を一体的に形成している。基板１の左端縁部には同様にカーリング加工した第２の筒状部１−２、右端縁部にも同じくカーリング加工した第３の筒状部１−３を形成している。
これらの筒状部の内径は約５．５ミリメートル程度である。
【００２３】  ２は、図１に示す正面形状で、側面を図２に示す形状に、５ミリ程度の太い針金を屈曲して成形したベルト装着部であり、下端の水平部を前記筒状部１−１に回転可能に挿入されている。
前記ベルト装着部２は、前記太めの針金をＶ、又はＵ字状になるようにＡのように下方に折り曲げ、この折り曲げＡ部からベルトの幅より若干大きな寸法長さ付近でＢのように内側に折り曲げて構成したものである。
折り曲げ部Ｂの先端とベルト装着部の垂直部針金間のギャップＧは、ベルト１の厚さより僅かに大きな間隔として、ベルト１に緩みなくしっかりと装着できるようにする。折り曲げ部Ｂはベルトが下方に離脱するのを防止するように機能している。
【００２４】  ３及び４は、図２のように横から見て略Ｕ字状に形成され、前述と同様径の太めの針金で成形された電動工具の保持部であり、上部を前記第２筒状部１−２、第３筒状部１−３にそれぞれ回転自在に挿入されている。保持部３及び４の上端突出部は加締めて脱落防止部３１、４１を形成している。
図３に保持部３の正面図を示し、その一部に後述する板バネ９に当接する面取り部３Ｃを形成している。
工具保持部３、４は電動工具の握り部を安定して受ける形状に形成され、その間隔は、電動工具を安定的に保持するため、握り部の最大長さに合わせている。
【００２５】  又、このとき注意しなければならないのは、工具保持部３、４で電動工具を保持したとき、不用意にスイッチが作動しないようにしなければならないことである。電動工具のスイッチは、通常、握り部の前方端にあるのが普通である。これに対処するため、本発明では、電動工具のスイッチが工具保持部３、４に当らないように逃げ部３２、４２を設けている。
【００２６】  ５は、図４及び図５に示すように、金属板で構成されるストッパーベースであり、前記基板１の前面にビスやリベットなどで強固に取り付けられている。場合よっては溶接や接着剤も使用できる。
このストッパーベース５の左右両端部には図８に示すピン６を支持するピン支持片５１、５２を立ち上げ折り曲げ形設し、それぞれピン６の挿入を許容するピン穴５１Ａ、５２Ａを穿設している。尚、ピン６は、図８に示すように頭付きのピンであり、一方のピン穴５１Ａから挿入し、他方のピン穴５２Ａから突き出た端部の外周溝にＣリング６１を横から挿入し、ピン６が軸方向に脱落するのを防止している。
【００２７】  ７は、前記ピン６によって所定角度だけ傾動自在に基板１に取り付けられるストッパーである。このストッパー７は金属板を図６及び図７に示す形状にプレス加工されており、対向する側壁にピン穴７１を穿設している。このピン穴７１にピン６を挿入し所定角度だけ傾動できるようにストッパー７を基台に取り付けるものである。
ピン６の周りには、図２において、ストッパー７を上方向（右回り）に回転させるように付勢するトーションばね８（図９参照）を被挿する。ストッパー７が所定角度より上方に回転しようとするとストッパー７の上端部のストパー面７２がストッパーベース５の表面に当接し、それ以上の回転（傾動）が阻止される。
すなわち、ストッパー７は所定の角度、例えば下方３０度程度でロック状態になるもの  である。言い換えれば、本構成によるストッパー７は、下方垂直位置から略３０度程度  の範囲で傾動可能になるということである。
【００２８】  図１０は、基板１の裏面を示している。この図において９は、バネ性の強い燐青銅版でＴ字状にプレス加工された板バネで、３本のビスで基板裏面に強固に固定される。
第１筒状部１−１、第２筒状部１−２、及び第３筒状部１−３の裏面で長手方向中央部には、それぞれ切欠き部１−１−Ａ，１−２−Ｂ、及び１−３−Ｃを切欠き形成している。
これらの欠き部により、それぞれの筒状部に挿入される針金の一部が外部から臨めるようになっている。
【００２９】  筒状部１−２に挿入される針金の一部には、図３に示すように面取り部３Ｃを形設している。同様に筒状部１−１に挿入される針金にも面取り部を形成し、筒状部１−３に挿入される針金にも面取り部を形成している。
一方、前記Ｔ字状板バネ９の先端９Ａを切欠き部１−１−Ａに裏側から挿入し、前記面取り部に強く当接させる。同様に板バネ９の他方の先端９Ｂを切欠き部１−２−Ｂに挿入し、工具保持部３の面取り部に強く当接させ、同じく板バネ９の残余の先端９Ｃを切欠き部１−３−Ｃに挿入し、工具保持部の面取り部に強く当接させる。
【００３０】  そして、それぞれの面取り部と基板１の強固に取り付けられる前記板バネ９のバネ作用に相俟って、ベルト装着部２を上下方向に回転する場合と、工具保持部３，４を左右に回転する場合の節度機構を構成する。
すなわち、面取り部に板バネ９を強く押し付けられた状態で、面取り部の両側稜線を板バネ９が乗り越えようとするときに大きな抵抗力が発生する。従ってこの抵抗力以上の大きな回転力を与えないと、例えばベルト装着部２は手前上方に回転させることができない。
但し、これ以上の回転力を与えれば板バネ９は前記稜線を超えることができるので、それ以降はスムースに回転することができる。
このような動作を惹起する機構を節度機構という。この節度機構は、回転に節度を与え心地よく操作することができる。
【００３１】  筒状部１−２及び１−３にも工具保持部３、４を構成する面取り部を有する太い針金が挿入されていることは前述のとおりである。
そして、針金で構成されるこれらの工具保持部３、４は、筒状部１−２、１−３内で節度を持ってどの方向にも回転可能となっている。
【００３２】  本発明の工具ホルダーを使用しない場合や持ち運びする場合はできるだけ小型にすることが望まれる。
小型にする場合は、図示上左に位置する工具保持部３は、手前から右方向に  ９０度回転し、右に位置する工具保持部４は反対に手前から左方向に９０度回転し、両工具保持部３、４を重ねるようにするものである。これによって前方への突出寸法は無くなる。重ねる順序は任意で良い。
【００３３】  前記により前方への寸法は無くなったものの、縦方向の寸法は依然として短縮されていない。
そのため左右の工具保持部３、４を前述のように畳んだ後に、前記ベルト装着部２を基板１の上に重ねるように折り畳むことにより工具ホルダーの縦寸法を略半分にすることができる。
発明者は、全体の高さが２４ｃｍ程度の電動工具ホルダーを試作した。これを折り畳んだ後の縦寸法は略１３ｃｍ、幅が８ｃｍ、高さ（厚さ）が３ｃｍ、重量が１２５ｇになり、作業ジャンバーのポケットに余裕をもって収納できる寸法及び重量になったものである。
【００３４】  更に前述のように小寸法にできるのは、前記のように折り畳むことに起因しているは当然であるが、これに加えて、ベルト装着部２を折り畳むとき、ベルト装着部で基板１に取り付けられたストッパー７をトーションバネ８のばね力に抗して基板１側に押し付けた状態に保持したことである。
ベルト装着部２は、筒状部１−２に挿入されている針金（ベルト装着部）に対し板バネ９によって適度の摩擦力が付与されており、この摩擦力によってストッパー７を押圧状態に保持している。
このように前述の最小寸法は維持されている。
【００３５】  前記において、工具保持部３が前記と反対の左方向、工具保持部４が前記と反対の右方向に、両者が開く方向に回転するのは折り畳むためには好ましくない現象である。
これを防止するために本発明では、工具保持部３、４が開く方向には相互に回転し開かないようにストッパーを設けている。
【００３６】  図３にそのストッパーを示す。すなわち、工具保持部３の上端を図示上右に直角に折り曲げ、一方、工具保持部４の先端を図示上左に折り曲げて、それぞれストッパー３−１、４−１（図示せず）を形成したものである。
この構成において、工具保持部３を左方向に回転しようとすると前記ストッパー３−１が前記基台１の裏面に当接して回転を阻止し、一方、工具保持部４を右に回転しようとすると前記ストッパー４−１が前記と同様、基台１の裏面に当接し回転を阻止する。
これによって、工具保持部３、４は基板部１に対して直角方向位置に保持されるので電動工具の出し入れをスムースに行うことができる。
このように本発明によれば、不用意に工具保持部が開くことによる架設パイプなどへの引っ掛かり事故も防止できる。
【００３７】  次に、本発明の操作方法を主に図１、２、を参照して説明する。
図２には、工具保持部３、４に電動工具１００を保持した状態を模擬的に示す。
この図において、電動工具を収納するときは、電動工具１００を上方から普通に工具ホルダーに収納すればよい。
すなわち、電動工具を上方から工具保持部３．４に落とすように収納すれば、電動工具１００の握り部１０１が自然にストッパー７に突き当たり、ストパー７を押し下げる方向に傾動する。このとき電動工具１００自身の重量がトーションばね８のばね力に抗してストッパー７をスムースに下方に押すことになる。
【００３８】  ストッパー７が一点鎖線で示すように下方垂直方向に押されると、電動工具の握り部が自らの自重で工具保持部５に安定的に収納保持される。
手あるいは指を離せばストッパー７がトーションばね８のばね力でストッパー面７２が基板１の前面に突き当たるまで回転し、ロック状態を維持する。
【００３９】  ロック状体におけるストッパー７の位置は、下方約３０度程度であり、その下方端は電動工具の握り部１０１の略真上か、やや外側上方に近接位置する。この両者間のギャップＧは数ミリ程度として電動工具１００の離脱や落下を確実に防止している。
一方、このストッパー７の先端と工具支持部材３、４先端間の距離は電動工具の握り部１０１の最小直径よりも小さくなるように設定してある。この構成によってロック状態における電動工具の浮き上がりによる離脱は確実に防止できるものである。
【００４０】  尚、本発明構成では、工具保持部３、４の底部にスイッチ１０２の逃げ部３２、４２を設けているので、電動工具１００を収納した場合、不用意にスイッチ１０２が入り、電動工具が誤って作動しないように工夫されている。
更に、スイッチの逃げ部３２、４２を含めて工具支持部３、４を同一形状、同位置、同寸法にしたので、右利き、左利きの、何れの作業者でも普通に使用できるものとなる。
【００４１】  電動工具１００を取り出す場合は、図２に示すように、親指でストッパー７を図示の→方向に押すことにより、ストッパー７の先端と工具保持部３、４先端間の距離が電動工具の握り部の前記直径より大きくする。この状態下で親指以外の指を電動工具の握り部１０１の下に入れ、握り部を握って電動工具を上方に取り出すものである。
この一連の動作は略同時に行われ、極めて短時間で電動工具の取り出しを行うことができるものである。
【００４２】  次に、電動工具１００を工具ホルダーに装着したままで着座できる理由について説明する。
従来技術に掲げた電動工具ホルダーには屈曲性がないので、着座したときホルダーが床などに直接当たってしまう。これを解消するには腰のベルトをできる限り上方に装着すれば良いが、手を自然に下げた位置に電動工具を保持し位置させることが作業性を向上するために必要であることから、この解決策は現実的でない。
【００４３】  そこで、本発明の第２の発明は、工具ホルダーの基板部１のベルト装着部２を手前から上方に回転できるように、筒状部１−１に太い針金を挿入するヒンジ構成で接続したものである。
すなわち、本発明工具ホルダーを腰のベルト１０３に装着した状態で座る場合は、工具保持部３、４を下方に取り付けた基板１を含む工具ホルダー本体を上方に回転すれば工具保持部が邪魔にならず容易に座ることができる。
【００４４】  このとき前記で説明した節度機構によってクリック動作が生じるので気持ち良く回転操作ができる。又、面取り部以外の針金の外周にも外面から板バネ９のバネ圧が付与されているので、回転動作には適度な抵抗が付与されつつ操作できるので快適である。
【００４５】  以上のべたように本発明の第１の発明によれば、電動工具を安定的に保持でき、収納と取り出しを指操作によって簡単、且つ、迅速に行うことができ、電動工具を押えているストッパーが外部構造物に当って不用意に開くことがなく、作業者、及び電動工具の落下を確実に防止する電動工具ホルダーを提供することができる。
第２の発明によれば、電動工具を工具ホルダーに収納した状態で普通に着座することができ、作業継続中に工具ホルダーをベルトから外す必要がない。
又、第３の発明のように、工具保持部３、４を左右内側に折り畳み、次いで上下に折り畳めば全体の半分程度に小さくなり、作業服のポケットなどに入れて持ち運ぶことができるものである。又、本発明品を郵送する場合は、「長２」サイズの封筒で送ることができ、輸送費の低減にも貢献する。
総じて本発明の電動工具ホルダーによれば、安全を確保しつつ作業性を大幅に向上することができ、産業上の貢献は多大である。
【符号の説明】
【００４６】  １…基板部、１−１〜１−３…筒状部、２…ベルト装着部、３、４…工具保持部、３−１…ストッパー、３２、４２…逃げ部、５…ストッパーベース、５１、５２…ピン支持片、６…ピン、７…ストッパー、７２…ストッパー面、８…トーションばね、９…板バネ、１００…電動工具、１０１…握り部、１０２…スイッチ、１０３…ベルト。
【図１】
2015062988.tif 000003
【図２】
2015062988.tif 000004
【図３】
2015062988.tif 000005
【図４】
2015062988.tif 000006
【図５】
2015062988.tif 000007
【図６】
2015062988.tif 000008
【図７】
2015062988.tif 000009
【図８】
2015062988.tif 000010
【図９】
2015062988.tif 000011
【図１０】
2015062988.tif 000012
【図１１】
2015062988.tif 000013